(57)【特許請求の範囲】
【請求項１】
再生するコンテンツデータを取得する再生コンテンツ取得手段と、
所定の範囲内にいる閲覧者の情報を入力する情報入力手段と、
前記情報入力手段により入力された前記閲覧者の情報に基づき当該閲覧者の属性を判定する閲覧者属性判定手段と、
前記閲覧者属性判定手段で判定した閲覧者属性に基づき支援効果データベースに蓄積される支援効果データから支援効果を決定して、当該支援効果の付与の実行の指示を受け付ける手段と、
前記コンテンツデータに対して付与する前記支援効果の決定後、当該支援効果の付与の実行の指示があった場合に、前記コンテンツデータに対して支援効果を付与する支援効果付与手段と、
を備えることを特徴とするサイネージ端末。
【請求項２】
前記支援効果の付与の実行の指示を受け付ける手段は、ディスプレイユニットの画面上に、前記支援効果の付与の実行を指示するボタンを表示し、当該ボタンの押下を認識すると、当該支援効果の付与の実行の指示があったものとする、
ことを特徴とする請求項１記載のサイネージ端末。
【請求項３】
前記情報入力手段は、撮像画像データと音声データとの少なくともいずれか一方を、前記閲覧者の情報として得る、
ことを特徴とする請求項１または２記載のサイネージ端末。
【請求項４】
前記閲覧者属性判定手段は、前記情報入力手段により入力された前記閲覧者の情報に基づき当該閲覧者の年齢および性別の判定を行う、
ことを特徴とする請求項１ないし３のいずれか一記載のサイネージ端末。
【請求項５】
前記閲覧者属性判定手段は、前記情報入力手段により入力された前記閲覧者の情報に基づき当該閲覧者が使用する言語を判定する、
ことを特徴とする請求項１ないし４のいずれか一記載のサイネージ端末。
【請求項６】
コンテンツデータを再生して表示するサイネージ端末と、通信ネットワークを介して接続された前記サイネージ端末に対して前記コンテンツデータを配信する情報配信装置と、を備えるサイネージシステムにおいて、
前記サイネージ端末の所定の範囲内にいる閲覧者の情報を入力する情報入力手段と、
前記情報入力手段により入力された前記閲覧者の情報に基づき当該閲覧者の属性を判定する閲覧者属性判定手段と、
前記閲覧者の属性に応じて前記コンテンツデータに対してどのような支援効果を与えるかを設定した支援効果データを蓄積した支援効果データベースと、
前記閲覧者属性判定手段で判定した閲覧者属性に基づき前記支援効果データから支援効果を決定して、当該支援効果の付与の実行の指示を受け付ける手段と、
前記コンテンツデータに対して付与する前記支援効果の決定後、当該支援効果の付与の実行の指示があった場合に、前記コンテンツデータに対して支援効果を付与する支援効果付与手段と、
を備えることを特徴とするサイネージシステム。
【発明の詳細な説明】
【技術分野】
【０００１】
本発明の実施形態は、サイネージ端末およびサイネージシステムに関する。
【背景技術】
【０００２】
広告、イベント、お知らせ等のコンテンツを不特定者に提示する仕組みとして、表示装置等のサイネージ端末にデジタル化されたコンテンツを表示再生させる情報表示システム、いわゆるデジタルサイネージシステムが知られている。
【０００３】
このようなデジタルサイネージシステムにおいては、サイネージ端末の前で立ち止まった閲覧者の属性の判断を行い、判断結果に応じてコンテンツを選択するようにしているものがある。
【発明の概要】
【発明が解決しようとする課題】
【０００４】
しかしながら、従来のデジタルサイネージシステムでは、サイネージ端末の前で立ち止まった閲覧者に対して効果的なコンテンツ表示による広告等を提供することはできるが、再生コンテンツの表示態様によっては閲覧者にとって閲覧（視聴）しにくい表示態様となっている場合があり、サイネージ効果が軽減されてしまう状況が生まれていた。
【課題を解決するための手段】
【０００５】
実施形態のサイネージ端末は、再生コンテンツ取得手段と、情報入力手段と、閲覧者属性判定手段と、支援効果の付与の実行の指示を受け付ける手段と、支援効果付与手段と、を備える。前記再生コンテンツ取得手段は、再生するコンテンツデータを取得する。前記情報入力手段は、所定の範囲内にいる閲覧者の情報を入力する。前記閲覧者属性判定手段は、前記情報入力手段により入力された前記閲覧者の情報に基づき当該閲覧者の属性を判定する。前記支援効果の付与の実行の指示を受け付ける手段は、前記閲覧者属性判定手段で判定した閲覧者属性に基づき支援効果データベースに蓄積される支援効果データから支援効果を決定して、当該支援効果の付与の実行の指示を受け付ける。前記支援効果付与手段は、前記コンテンツデータに対して付与する前記支援効果の決定後、当該支援効果の付与の実行の指示があった場合に、前記コンテンツデータに対して支援効果を付与する。
【０００６】
実施形態のサイネージシステムは、コンテンツデータを再生して表示するサイネージ端末と、通信ネットワークを介して接続された前記サイネージ端末に対して前記コンテンツデータを配信する情報配信装置と、を備えるサイネージシステムにおいて、情報入力手段と、閲覧者属性判定手段と、支援効果データベースと、支援効果の付与の実行の指示を受け付ける手段と、支援効果付与手段と、を備える。前記情報入力手段は、前記サイネージ端末の所定の範囲内にいる閲覧者の情報を入力する。前記閲覧者属性判定手段は、前記情報入力手段により入力された前記閲覧者の情報に基づき当該閲覧者の属性を判定する。前記支援効果データベースは、前記閲覧者の属性に応じて前記コンテンツデータに対してどのような支援効果を与えるかを設定した支援効果データを蓄積する。前記支援効果付与手段は、前記閲覧者属性判定手段で判定した閲覧者属性に基づき前記支援効果データから支援効果を決定して、当該支援効果の付与の実行の指示を受け付ける。前記支援効果付与手段は、前記コンテンツデータに対して付与する前記支援効果の決定後、当該支援効果の付与の実行の指示があった場合に、前記コンテンツデータに対して支援効果を付与する。
【図面の簡単な説明】
【０００７】
【図１】図１は、実施形態にかかるサイネージシステムの概略構成を示すブロック図である。
【図２】図２は、サイネージ端末の外観正面図である。
【図３】図３は、サイネージ端末の概略構成を示すブロック図である。
【図４】図４は、情報配信サーバの概略構成を示すブロック図である。
【図５】図５は、コンテンツデータベースに蓄積されるデータの構成を示す図である。
【図６】図６は、支援効果データベースのデータ構成を示す図である。
【図７】図７は、サイネージ端末の機能構成を示すブロック図である。
【図８】図８は、サイネージ端末におけるコンテンツの表示処理の流れを示すフローチャートである。
【図９】図９は、支援効果を適用したコンテンツ画像例を示す図である。
【図１０】図１０は、支援効果の付与の実行を指示する支援開始ボタンの表示例を示す図である。
【発明を実施するための形態】
【０００８】
図１は、実施形態にかかるサイネージシステム１０の概略構成を示すブロック図である。以下の説明では、実施形態にかかるサイネージシステム１０がショッピングモールに設けられた場合について説明する。
【０００９】
本実施形態にかかるサイネージシステム１０は、情報配信装置である情報配信サーバ１１と、複数のサイネージ端末１４とを主体に構成されている。
【００１０】
情報配信サーバ１１は、構内ＬＡＮ（Local  Area  Network）等の通信ネットワーク１２を介してサイネージ端末１４に接続されており、商品の広告情報やイベントの情報などの情報のコンテンツをサイネージ端末１４に対して配信、またはコンテンツをサイネージ端末１４からのアクセスによって取得させる。
【００１１】
サイネージ端末１４は、通信ネットワーク１２を介して情報配信サーバ１１から配信または取得したコンテンツデータを再生して表示する。
【００１２】
図２は、サイネージ端末１４の外観正面図である。図２に示すように、サイネージ端末１４は、液晶ディスプレイあるいはプラズマディスプレイとして構成されたディスプレイユニット２１と、各種チケット，クーポン等を印刷して発行するプリンタユニット２２と、ディスプレイユニット２１およびプリンタユニット２２を保持する筐体部２４と、を備えている。
【００１３】
筐体部２４の上部には、人物を撮影して画像認識を行い、人物の性別や年齢層を特定し、配信する情報の種類を制御する等の用途に用いられるカメラユニット２５と、人物の属性を取得するために音声を入力するマイク２７とが内蔵されている。また、筐体部２４の下部には、ＢＧＭや広告音声等の各種音響出力を行うスピーカユニット２６が内蔵されている。なお、画像認識等の処理は、サイネージ端末１４で行うことなく、情報配信サーバ１１等の上流側サーバで行っても良い。
【００１４】
図３は、サイネージ端末１４の概略構成を示すブロック図である。図３に示すように、サイネージ端末１４は、上述したディスプレイユニット２１、プリンタユニット２２、カメラユニット２５、スピーカユニット２６およびマイク２７の他、当該サイネージ端末１４全体を制御するコントローラ３１と、ユーザが各種操作を行うための操作部３２と、通信ネットワーク１２を介して情報配信サーバ１１との間で通信を行うためのネットワーク通信インタフェース（ＩＦ）３３と、コンテンツデータなどの各種データを記憶する外部記憶装置３５と、を備えている。外部記憶装置３５は、ハードディスク装置（ＨＤＤ：Hard  Disk  Drive）やＳＳＤ（Solid  State  Drive）装置などで実現される。
【００１５】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報配信サーバ１１から配信されたコンテンツデータを再生して、再生したコンテンツデータをディスプレイユニット２１に表示する。また、操作部３２は、各種スイッチ、ボタン等で構成したり、タッチパネルとしてディスプレイユニット２１と一体に構成したりしても良い。
【００１６】
このような構成により、サイネージ端末１４は、基本的には、情報配信サーバ１１で再生スケジュールとして予め設定された複数のコンテンツデータを受信または取得する。そして、サイネージ端末１４は、ディスプレイユニット２１を用いて、コンテンツデータとして広告する商品（以下、「広告商品」という場合がある。）に関する広告情報（広告商品を撮影した動画像や、広告商品を紹介または説明する文章など）を表示したり、スピーカユニット２６を用いて、広告商品を紹介または説明する音声を出力したりする。
【００１７】
次に、情報配信サーバ１１について説明する。図４は、情報配信サーバ１１の概略構成を示すブロック図である。図４に示すように、情報配信サーバ１１は、当該情報配信サーバ１１全体を制御するコントローラ４１と、ユーザが各種操作を行うためのキーボードやマウス等を有する操作部４２と、通信ネットワーク１２を介してサイネージ端末１４との間で通信を行うためのネットワーク通信インタフェース（ＩＦ）４３と、各種データや制御プログラムを記憶する外部記憶装置４４と、液晶ディスプレイとして構成されたディスプレイユニット４５と、を備えている。外部記憶装置４４は、ハードディスク装置（ＨＤＤ：Hard  Disk  Drive）やＳＳＤ（Solid  State  Drive）装置などで実現される。
【００１８】
ここで、コントローラ４１は、当該コントローラ４１全体を制御するＭＰＵ４６と、ＭＰＵ４６が動作するための制御プログラム等を格納したＲＯＭ４７と、各種データを一時的に記憶するＲＡＭ４８と、を備えている。
【００１９】
即ち、コントローラ４１は、ＭＰＵ４６がＲＯＭ４７や外部記憶装置４４などに格納される制御プログラムをＲＡＭ４８に展開して実行することにより、各種構成要素の動作を制御するとともに、ネットワーク通信ＩＦ４３および通信ネットワーク１２を介して接続されるサイネージ端末１４との間で各サイネージ端末１４に配信するコンテンツデータなどの各種データを送受信する動作を制御するものである。
【００２０】
また、外部記憶装置４４は、コンテンツデータを蓄積するコンテンツデータベースＤＢ１を格納している。なお、本実施形態では、情報配信サーバ１１が有する外部記憶装置４４にコンテンツデータベースＤＢ１が格納されているが、これに限定するものではなく、例えば、情報配信サーバ１１と通信ネットワーク１２を介して接続された記憶装置（図示せず）にコンテンツデータベースＤＢ１が記憶されていても良い。
【００２１】
図５は、コンテンツデータベースＤＢ１に蓄積されるデータの構成を示す図である。図５に示すように、コンテンツデータベースＤＢ１には、コンテンツを識別する識別情報としてコンテンツＩＤと、当該コンテンツＩＤにより識別されるコンテンツのコンテンツ名と、当該コンテンツＩＤにより識別されるコンテンツデータと、が蓄積されている。
【００２２】
コンテンツデータは、例えば、商品の販売促進に係わるイベントである優待企画の内容などに特化した画面を表すテンプレートデータに対して、商品を客に広告するための画像（例えば、商品を撮影した動画像、静止画像、テロップなど）を素材データとして当て嵌めたデータである。
【００２３】
さらに、外部記憶装置４４は、コンテンツデータに対して閲覧者属性に応じてどのような閲覧支援効果を与えるかを設定する支援効果データを蓄積する支援効果データベースＤＢ２を格納している。なお、本実施形態では、情報配信サーバ１１が有する外部記憶装置４４に支援効果データベースＤＢ２が格納されているが、これに限定するものではなく、例えば、情報配信サーバ１１と通信ネットワーク１２を介して接続された記憶装置（図示せず）に支援効果データベースＤＢ２が記憶されていても良い。
【００２４】
図６は、支援効果データベースＤＢ２のデータ構成を示す図である。図６に示すように、支援効果データベースＤＢ２は、サイネージ端末１４の前で立ち止まる人物である閲覧者（以下、閲覧者という）の属性ａに応じて、コンテンツＩＤｂに対してどのような閲覧支援効果を与えるかを設定した支援効果データを蓄積したものである。
【００２５】
ここで、閲覧支援効果とは、閲覧者の属性（性別、年齢、国籍、眼鏡など）に応じて、コンテンツデータを閲覧者にとってわかりやすい形に変更することである。そのために、支援効果データベースＤＢ２に蓄積される支援効果データにおいては、コンテンツデータに対する支援効果ｃと、当該支援効果を実施するための具体的な効果情報ｄとを、閲覧者の属性（性別、年齢、国籍、眼鏡など）に応じて設定している。
【００２６】
支援効果ｃは、例えば、閲覧者が幼少（５歳まで）であれば「テロップの漢字を平仮名へ変換」したり、小学生（１０歳まで）であれば「テロップの漢字にルビ」を振ったり、高齢（６０歳以上）あるいは眼鏡をかけている閲覧者であれば「文字サイズを拡大する」、「動画領域を大きくする」といった効果である。
【００２７】
支援効果を実施するための具体的な効果情報ｄは、例えば、「本日○○がお買い得」というテロップがコンテンツデータに含まれている場合、「平仮名変換」の支援効果が対応付けられた閲覧者の属性（５歳まで）であれば、「ほんじつ○○がおかいどく」である。
【００２８】
また、支援効果を実施するための具体的な効果情報ｄは、「英語に翻訳」の支援効果が対応付けられた閲覧者の属性（アメリカ人）であれば、コンテンツデータを英語に翻訳した情報である。
【００２９】
また、図６に示すように、同一のコンテンツＩＤを有しているコンテンツデータに対して複数の支援効果が設定されているような場合には、各支援効果に対して優先度ｅを付するようにしても良い。このように優先度ｅを付すことにより、例えば小学生（１０歳まで）と高齢者（６０歳以上）が同時に閲覧しているような場合に、一方の閲覧者属性に応じた支援効果を実施することができるようになる。
【００３０】
このような構成により、情報配信サーバ１１のコントローラ４１は、ＲＯＭ４７に記憶された制御プログラムに従ってＭＰＵ４６を動作させることで、予め作成されたタイムスケジュールに従ってコンテンツデータをサイネージ端末１４に配信する。
【００３１】
次に、サイネージ端末１４が有する特徴的な機能について説明する。概略的には、サイネージ端末１４においては、サイネージ端末１４の前で立ち止まる人物である閲覧者の属性に応じて閲覧者にとってよりわかりやすい表示内容にコンテンツ表示を変更するようにしたものである。
【００３２】
図７は、サイネージ端末１４の機能構成を示すブロック図である。コントローラ３１は、ＲＯＭ３７に記憶された制御プログラムに従ってＭＰＵ３６を動作させることで、図７に示すように、情報入力手段３６１、閲覧者属性判定手段３６２、支援効果付与手段３６３、再生するコンテンツを取得する再生コンテンツ取得手段３６４として機能する。
【００３３】
情報入力手段３６１は、所定の範囲内にいる人物の情報を入力する。本実施形態においては、情報入力手段３６１は、サイネージ端末１４の前で立ち止まる閲覧者の情報をサイネージ端末１４に設けられたカメラユニット２５により撮像した撮像画像データから得るとともに、サイネージ端末１４の前で立ち止まる閲覧者の情報をサイネージ端末１４に設けられたマイク２７により集音した音声データから得る。
【００３４】
閲覧者属性判定手段３６２は、情報入力手段３６１により入力された閲覧者の情報に基づき閲覧者の属性を判定する。閲覧者属性判定手段３６２は、図７に示すように、年齢性別判定手段３６２１と、言語判定手段３６２２と、を備える。
【００３５】
年齢性別判定手段３６２１は、情報入力手段３６１により入力された閲覧者の情報に基づき閲覧者の年齢および性別の判定を行う。言語判定手段３６２２は、情報入力手段３６１により入力された閲覧者の情報に基づき閲覧者が使用する言語を判定する。
【００３６】
支援効果付与手段３６３は、閲覧者属性判定手段３６２で判定した閲覧者属性に基づき支援効果データベースＤＢ２に蓄積される支援効果データから支援効果を決定して、コンテンツデータに支援効果を付与する。
【００３７】
次に、上述した本実施形態に係るサイネージシステム１０におけるコンテンツの表示処理について説明する。図８は、サイネージ端末１４におけるコンテンツの表示処理の流れを示すフローチャートである。図８に示すように、まず、情報配信サーバ１１のＭＰＵ４６は、予め作成されたタイムスケジュールに従ってコンテンツデータをサイネージ端末１４に対して配信し、サイネージ端末１４にコンテンツデータの再生を実行させる。
【００３８】
サイネージ端末１４の再生コンテンツ取得手段３６４は、情報配信サーバ１１から配信されたコンテンツデータを受信すると（ステップＳ１のＹｅｓ）、サイネージ端末１４の情報入力手段３６１は、カメラユニット２５により撮像した閲覧者の撮像画像データやマイク２７により集音した閲覧者の音声データなどの閲覧者の情報を入力する（ステップＳ２）。なお、撮像画像データおよび音声データは、所定のタイミング（例えば、１分間隔）で予め取得しておくようにしても良い。
【００３９】
サイネージ端末１４の閲覧者属性判定手段３６２（年齢性別判定手段３６２１）は、閲覧者について、年齢および性別の判定を行う（ステップＳ３）。年齢性別判定手段３６２１による閲覧者についての年齢および性別の判定手法としては、カメラユニット２５による撮像画像データの各閲覧者の顔画像から特徴量を抽出し、当該特徴量に基づいてその人物の年齢・性別を判別する周知の手法を用いることができる。
【００４０】
また、サイネージ端末１４の閲覧者属性判定手段３６２（言語判定手段３６２２）は、閲覧者について、使用言語の判定を行う（ステップＳ４）。言語判定手段３６２２による閲覧者についての使用言語の判定手法としては、マイク２７により集音した閲覧者の音声データに対して音声認識処理を実行し、当該音声認識結果に基づいてその人物の使用言語を判別する周知の手法を用いることができる。
【００４１】
以上のようにして閲覧者属性を取得すると、サイネージ端末１４の支援効果付与手段３６３は、情報配信サーバ１１の支援効果データベースＤＢ２にアクセスし、閲覧者属性に基づき支援効果データベースＤＢ２に蓄積される支援効果データに情報配信サーバ１１から配信されたコンテンツデータに対応した閲覧支援効果がある場合には（ステップＳ５のＹｅｓ）、支援効果データベースＤＢ２に蓄積される支援効果データから閲覧支援効果を決定して（ステップＳ６）、閲覧支援効果を適用したコンテンツデータを再生する（ステップＳ７）。
【００４２】
図９は、支援効果を適用したコンテンツ画像例を示す図である。図９に示すように、サイネージ端末１４のディスプレイユニット２１には、コンテンツデータのオリジナル画像に対して閲覧者属性に基づく支援効果（平仮名変換、ルビ追加、文字サイズ拡大など）が適用された画像が表示される。
【００４３】
一方、サイネージ端末１４の支援効果付与手段３６３は、閲覧者属性に基づき支援効果データベースＤＢ２に蓄積される支援効果データに情報配信サーバ１１から配信されたコンテンツデータに対応した閲覧支援効果がない場合には（ステップ５のＮｏ）、情報配信サーバ１１から配信されたコンテンツデータをそのまま再生する（ステップＳ８）。
【００４４】
なお、支援効果は必ずしもその閲覧者にとって必要ではない場合もあるため、支援効果決定後にそのまま再生中のコンテンツに付与せず、閲覧者の決定を待って付与することも可能である。この場合、支援効果決定後に、図１０に示すように、サイネージ端末１４のディスプレイユニット２１に表示された画面上に、支援効果の付与の実行を指示する支援開始ボタンＢを表示する。そして、閲覧者はその支援効果を必要とする場合に支援開始ボタンＢを押下し、サイネージ端末１４の支援効果付与手段３６３は、支援開始ボタンＢの押下を認識すると、その支援効果をコンテンツデータに付与するようにしても良い。
【００４５】
また、サイネージ端末１４の支援効果付与手段３６３は、対象の閲覧者が閲覧エリアからいなくなったと判断した場合、その支援効果を削除し、通常のコンテンツを再生する。
【００４６】
以上説明した実施形態によれば、閲覧者属性に基づき支援効果データベースＤＢ２に蓄積される支援効果データから支援効果を決定してコンテンツデータに対して支援効果を付与する。これにより、閲覧者属性に応じて閲覧者にとってより分かりやすい表示内容にコンテンツ表示を変更することができ、よりサイネージ効果を高めることができる。
【００４７】
なお、上述した実施形態においては閲覧者の情報を入力する情報入力手段３６１として、撮像範囲内にいる視聴者を撮影するカメラユニット２５が用いられていたが、これに限るものではなく、ＲＦＩＤリーダなどを用いるようにしてもよい。ＲＦＩＤリーダを用いる場合には、視聴者が所持している会員カードや携帯電話等の記憶媒体に、顧客ＩＤとともに顧客の性別や年齢等の情報を記憶しておく。そして、ＲＦＩＤリーダが無線通信の通信範囲内にいる閲覧者の記憶媒体から閲覧者の性別や年齢層等の情報を読み出す。
【００４８】
なお、本実施形態においては、サイネージシステムとして情報配信サーバ１１と、複数のサイネージ端末１４とを主体に構成されているサイネージシステム１０を適用するようにしたが、これに限るものではない。例えば、サイネージシステムとしてサイネージ端末１４を適用して、情報配信サーバ１１における処理動作をサイネージ端末１４に実行させるようにしても良い。
【００４９】
また、本実施形態においては、サイネージ端末１４に閲覧者属性判定手段３６２を設けて、情報入力手段３６１により入力された閲覧者の情報に基づき閲覧者の属性を判定するようにしたが、これに限るものではなく、閲覧者属性判定手段３６２を情報配信サーバ１１において実行させるようにしても良い。
【００５０】
さらに、本実施形態においては、サイネージ端末１４に支援効果付与手段３６３を設けて、閲覧者属性判定手段３６２で判定した閲覧者属性に基づき支援効果を決定して、コンテンツデータに支援効果を付与するようにしたが、これに限るものではなく、閲覧者属性判定手段３６２を情報配信サーバ１１において実行させるようにして、支援効果を付与したコンテンツデータをサイネージ端末１４に対して配信するようにしても良い。
【００５１】
本実施形態の情報配信サーバ１１またはサイネージ端末１４で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５２】
また、本実施形態の情報配信サーバ１１またはサイネージ端末１４で実行されるプログラムを、インターネット等のネットワークに接続されたコンピュータ上に格納し、ネットワーク経由でダウンロードさせることにより提供するように構成しても良い。また、本実施形態の情報配信サーバ１１またはサイネージ端末１４で実行されるプログラムをインターネット等のネットワーク経由で提供または配布するように構成しても良い。
【００５３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。
【符号の説明】
【００５４】
１０      サイネージシステム
１１      情報配信装置
１４      サイネージ端末
３６１    情報入力手段
３６２    閲覧者属性判定手段
３６３    支援効果付与手段
３６４    再生コンテンツ取得手段
ＤＢ２    支援効果データベース
【先行技術文献】
【特許文献】
【００５５】
【特許文献１】特開２００８−２４９７８４号公報
【特許文献２】特開２０１０−２２４３２９号公報
【図１】
0005592919.tif 000002
【図２】
0005592919.tif 000003
【図３】
0005592919.tif 000004
【図４】
0005592919.tif 000005
【図５】
0005592919.tif 000006
【図６】
0005592919.tif 000007
【図７】
0005592919.tif 000008
【図８】
0005592919.tif 000009
【図９】
0005592919.tif 000010
【図１０】
0005592919.tif 000011